【手続補正書】
【提出日】平成24年7月10日(2012.7.10)
【手続補正１】
【補正対象書類名】明細書
【補正対象項目名】０００８
【補正方法】変更
【補正の内容】
【０００８】
本発明に係る空気調和機の室内機は、
吸込口および吹出口が形成され、左右部分に筐体側面を具備する筐体と、
該筐体の内部で前記吸込口と前記吹出口との間に配置された熱交換器と、
該熱交換器と前記吹出口との間に配置された送風ファンと、
該送風ファンと前記吹出口との間に形成され、左右部分に風路側壁を具備する吹出風路と、
前記吹出口の前面寄りに回転自在に配置され、調和空気の上下方向の吹出方向を案内する上下前風向板と、
該上下前風向板を回転する上下前駆動モーターと、
前記吹出口の後面寄りに回転自在に配置され、調和空気の上下方向の吹出方向を案内する上下後風向板と、
該上下後風向板を回転する上下後駆動モーターと、
前記風路側壁と前記筐体側面との間に形成され、前記上下前駆動モーターおよび前記上下後駆動モーターを収納するモーター収納庫と、
該モーター収納庫を覆うモーター覆い板と、
を有し、
前記モーター覆い板の前面寄りに形成されたモーター覆い板前切欠部と、該モーター覆い板前切欠部につながって前記風路側壁に形成された風路側壁前切欠部とによって、前記上下前風向板の羽根部分の端部分が侵入自在な前逃がし溝が形成され、
前記モーター覆い板の後面寄りに形成されたモーター覆い板後切欠部と、該モーター覆い板後切欠部につながって前記風路側壁に形成された風路側壁後切欠部とによって、前記上下後風向板の羽根部分の端部分が侵入自在な後逃がし溝が形成され、
前記上下前風向板が、略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下前風向板の軸固定部分が前記上下前駆動モーターの回転軸に直接または継手手段を介して連結され、
前記上下前風向板が回転されて前記吹出口の前面寄りを塞いだ状態では、前記上下前風向板の羽根部分の端部分が、前記モーター覆い板に略平行に対峙し、前記上下前風向板が回転されて前記吹出口の前面寄りを開いた状態では、前記上下前風向板の羽根部分の端部分が前記前逃がし溝に侵入し、
前記上下後風向板が、略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下後風向板の軸固定部分が前記上下後駆動モーターの回転軸に直接または継手手段を介して連結され、
前記上下後風向板が回転されて前記吹出口の後面寄りを塞いだ状態では、前記上下後風向板の羽根部分の端部分が、前記モーター覆い板に略平行に対峙し、前記上下後風向板が回転されて前記吹出口の後面寄りを開いた状態では、前記上下後風向板の羽根部分の端部分が前記後逃がし溝に侵入したりすることを特徴とする。
【手続補正２】
【補正対象書類名】特許請求の範囲
【補正対象項目名】全文
【補正方法】変更
【補正の内容】
【特許請求の範囲】
【請求項１】
吸込口および吹出口が形成され、左右部分に筐体側面を具備する筐体と、
該筐体の内部で前記吸込口と前記吹出口との間に配置された熱交換器と、
該熱交換器と前記吹出口との間に配置された送風ファンと、
該送風ファンと前記吹出口との間に形成され、左右部分に風路側壁を具備する吹出風路と、
前記吹出口の前面寄りに回転自在に配置され、調和空気の上下方向の吹出方向を案内する上下前風向板と、
該上下前風向板を回転する上下前駆動モーターと、
前記吹出口の後面寄りに回転自在に配置され、調和空気の上下方向の吹出方向を案内する上下後風向板と、
該上下後風向板を回転する上下後駆動モーターと、
前記風路側壁と前記筐体側面との間に形成され、前記上下前駆動モーターおよび前記上下後駆動モーターを収納するモーター収納庫と、
該モーター収納庫を覆うモーター覆い板と、
を有し、
前記モーター覆い板の前面寄りに形成されたモーター覆い板前切欠部と、該モーター覆い板前切欠部につながって前記風路側壁に形成された風路側壁前切欠部とによって、前記上下前風向板の羽根部分の端部分が侵入自在な前逃がし溝が形成され、
前記モーター覆い板の後面寄りに形成されたモーター覆い板後切欠部と、該モーター覆い板後切欠部につながって前記風路側壁に形成された風路側壁後切欠部とによって、前記上下後風向板の羽根部分の端部分が侵入自在な後逃がし溝が形成され、
前記上下前風向板が、略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下前風向板の軸固定部分が前記上下前駆動モーターの回転軸に直接または継手手段を介して連結され、
前記上下前風向板が回転されて前記吹出口の前面寄りを塞いだ状態では、前記上下前風向板の羽根部分の端部分が、前記モーター覆い板に略平行に対峙し、前記上下前風向板が回転されて前記吹出口の前面寄りを開いた状態では、前記上下前風向板の羽根部分の端部分が前記前逃がし溝に侵入し、
前記上下後風向板が、略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下後風向板の軸固定部分が前記上下後駆動モーターの回転軸に直接または継手手段を介して連結され、
前記上下後風向板が回転されて前記吹出口の後面寄りを塞いだ状態では、前記上下後風向板の羽根部分の端部分が、前記モーター覆い板に略平行に対峙し、前記上下後風向板が回転されて前記吹出口の後面寄りを開いた状態では、前記上下後風向板の羽根部分の端部分が前記後逃がし溝に侵入したりすることを特徴とする空気調和機の室内機。
【請求項２】
吸込口および吹出口が形成され、左右部分に筐体側面を具備する筐体と、
該筐体の内部で前記吸込口と前記吹出口との間に配置された熱交換器と、
該熱交換器と前記吹出口との間に配置された送風ファンと、
該送風ファンと前記吹出口との間に形成され、左右部分に風路側壁を具備する吹出風路と、
前記吹出口の前面寄りに回転自在に配置され、調和空気の上下方向の吹出方向を案内する上下前風向板と、
該上下前風向板を回転する上下前駆動モーターと、
前記吹出口の後面寄りに回転自在に配置され、調和空気の上下方向の吹出方向を案内する上下後風向板と、
該上下後風向板を回転する上下後駆動モーターと、
前記風路側壁と前記筐体側面との間に形成され、前記上下前駆動モーターおよび前記上下後駆動モーターを収納するモーター収納庫と、
該モーター収納庫を覆うモーター覆い板と、
を有し、
前記モーター覆い板の前面寄りに形成されたモーター覆い板前切欠部と、該モーター覆い板前切欠部につながって前記風路側壁に形成された風路側壁前切欠部とによって、前記上下前風向板の羽根部分の端部分が侵入自在な前逃がし溝が形成され、
前記上下前風向板が、略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下前風向板の軸固定部分が前記上下前駆動モーターの回転軸に直接または継手手段を介して連結され、
前記上下前風向板が回転されて前記吹出口の前面寄りを塞いだ状態では、前記上下前風向板の羽根部分の端部分が、前記モーター覆い板に略平行に対峙し、前記上下前風向板が回転されて前記吹出口の前面寄りを開いた状態では、前記上下前風向板の羽根部分の端部分が前記前逃がし溝に侵入し、
前記上下後風向板が、端部分に羽根切欠部が形成されている略矩形状の羽根部分と、該羽根部分の端部分から所定範囲離れた位置に固定され、一方の面側に突出する腕部分と、該腕部分に設けられた軸固定部分とを具備し、
前記風路側壁を貫通して、前記上下後風向板の軸固定部分が前記上下後駆動モーターの回転軸に直接または継手手段を介して連結され、
前記上下後風向板が回転されて前記吹出口の後面寄りを塞いだ状態では、前記上下後風向板の羽根部分の端部分が、前記モーター覆い板に略平行に対峙し、前記上下後風向板が回転されて前記吹出口の後面寄りを開いた状態では、前記上下後風向板の羽根部分の端部分が前記モーター覆い板に略平行に対峙したり、あるいは、前記上下後風向板の羽根切欠部が風路側壁に対峙したりすることを特徴とする空気調和機の室内機。
【請求項３】
前記風路側壁前切欠部の前記送風ファンに近い側の側縁に沿って、前記風路側壁に風路側壁前突起部が立設され、該風路側壁前突起部によって前記風路側壁前切欠部への調和空気の侵入が抑えられることを特徴とする請求項１または２記載の空気調和機の室内機。
【請求項４】
前記風路側壁前突起部の前記風路側壁前切欠部側の壁面に、着露した際の露を保持することができる前突起部溝が形成されていることを特徴とする請求項３記載の空気調和機の室内機。
【請求項５】
前記風路側壁前突起部が、前記風路側壁前切欠部の前記送風ファンに近い側の側縁に連なった前突起部壁面と、該前突起部壁面の頂点から、前記送風ファンに近づく程前記風路側壁に近づいて前記風路側壁に連なる前突起部斜面と、を有することを特徴とする請求項３または４記載の空気調和機の室内機。
【請求項６】
前記風路側壁後切欠部の前記送風ファンに近い側の側縁に沿って、前記風路側壁に風路側壁後突起部が立設され、該風路側壁後突起部によって前記風路側壁後切欠部への調和空気の侵入が抑えられることを特徴とする請求項１記載の空気調和機の室内機。
【請求項７】
前記風路側壁後突起部の前記風路側壁後切欠部側の壁面に、着露した際の露を保持することができる後突起部溝が形成されていることを特徴とする請求項６記載の空気調和機の室内機。
【請求項８】
前記風路側壁後突起部が、前記風路側壁後切欠部の前記送風ファンに近い側の側縁に連なった後突起部壁面と、該後突起部壁面の頂点から、前記送風ファンに近づく程前記風路側壁に近づいて前記風路側壁に連なる後突起部斜面と、を有することを特徴とする請求項６または７記載の空気調和機の室内機。
【請求項９】
前記モーター覆い板の前記風路側に近い範囲が、前記風路側に近づく方向に折り曲げられた面取り部分が形成されることを特徴とする請求項１乃至８の何れかに記載の空気調和機の室内機。
【請求項１０】
前記吹出風路の風路後壁の、吹出口近傍で、かつ風路側壁の近傍である位置に、板状の風路後壁リブが設けられ、該風路後壁リブの吹出口側の端部が、該風路後壁リブの前記送風ファン側の端部よりも、外側に位置することを特徴とする請求項１乃至９の何れかに記載の空気調和機の室内機。
【請求項１１】
前記風路後壁リブに、着露した際の露を保持することができる風路後壁リブ溝が形成されていることを特徴とする請求項１０記載の空気調和機の室内機。